(57)【要約】【課題】ユーザーにとって重要な情報源である定期刊行物の頁データを効率よく提供することができるシステムを提供する。【解決手段】出版部門、出版物頁データの制作部門および印刷部門とから構成される第１通信ネットワークと、出版部門が販売したい出版物の頁データを保管する管理サーバー、ユーザーの携帯型端末および店舗内に設置される店舗端末から構成される第２通信ネットワークからなるシステムであって、出版物の全頁データが保管されているファイルサーバーが第１通信ネットワークに接続されており、且つ出版部門が販売したい出版物の頁データがある時、第１通信ネットワークと第２通信ネットワークを接続し、出版物の頁データの一部頁あるいは全頁をファイルサーバーから管理サーバーに転送することを特徴とする出版物の頁データを配信するシステム。【選択図】  図１
2005157519.tif 000002
【特許請求の範囲】
【請求項１】
通信ネットワークで接続された端末を用いて出版物のデータを配信するシステムにおいて、出版部門、出版物頁データの制作部門および印刷部門とから構成される第１通信ネットワークと、出版部門が販売したい出版物の頁データを保管する管理サーバー、ユーザーの携帯型端末および店舗内に設置される店舗端末から構成される第２通信ネットワークからなるシステムであって、出版物の全頁データが保管されているファイルサーバーが第１通信ネットワークに接続されており、且つ出版部門が販売したい出版物の頁データがある時、第１通信ネートワークと第２通信ネットワークを接続し、出版物の頁データの一部頁あるいは全頁をファイルサーバーから管理サーバーに転送することを特徴とする出版物の頁データを配信するシステム。
【請求項２】
前記ファイルサーバーに、更に出版物の印刷に必要なデータが保管されている請求項１に記載の出版物の頁データを配信するシステム。
【請求項３】
前記ファイルサーバーから前記管理サーバーに転送される出版物の頁データは、出版物の頁と同一のデザインおよびレイアウトしている画像データである請求項１または２に記載の出版物の頁データを配信するシステム。
【請求項４】
前記第１通信ネットワークに接続するファイルサーバーを介して、出版部門と出版物の頁データの制作部門との間で出版物の校正、編集、修正などを実施する手段を有する請求項１または２に記載の出版物の頁データを配信するシステム。
【請求項５】
前記店舗端末にデジタルデータ出力デバイスを接続し、ユーザーが要求する出版物の頁データをプリントアウトする機能を有する請求項１または２に記載の出版物の頁データを配信するシステム。
【請求項６】
前記管理サーバーが、ユーザーの情報を保存する手段とユーザーの情報をデータベース化する手段を有する請求項１に記載の出版物の頁データの配信システム。
【発明の詳細な説明】
【技術分野】
【０００１】
本発明は、週刊誌あるいは月刊誌など定期刊行物の印刷製造およびその販売にかかわる頁データの配信システムであり、特に月刊誌などの特集記事などの特定の頁を効率よくユーザーに提供するシステムに関わる。
【背景技術】
【０００２】
印刷業界ではＤＴＰ化が進んでおり、文書データ、写真データおよびイラストデータなど誌面の制作に必要な素材がデジタルで入稿することが増加している。また、素材をもとに雑誌などの定期刊行物などの頁データを制作する制作会社も、コンピューター上で印刷に必要な各種情報、例えば色情報、フォント情報およびレイアウト情報を制作し、最終的な頁データを形成している。
【０００３】
企画出版元である出版社は、最終的な頁データを確認、いわゆる校正を実施して修正箇所の有無、色、フォント、デザインおよびレイアウトなどに関して印刷の可否判断をしている。校正は、制作会社から宅配便などで送付される印刷見本などで実施するか、あるいは電子メールなどに添付して送信された頁データを出版社がコンピューター上であるいはプリントアウトして実施する方法で行われていた。完成した頁データは印刷会社に送付され、イメージセッターによりポジフィルム出力する工程あるいは直接刷版に出力するＣＴＰ印刷工程に当てはめられていた。そのため、頁データの制作では、制作期間の短い定期刊行物にとって校正作業は非常に大きな負担となっていた。
【０００４】
一方、出版物に関しては、雑誌などの定期刊行物は発行部数が限定されており、発売後数日で書店からなくなることがしばしば発生する。そのため、購入時期を逃すユーザーも多く存在する。特に、定期刊行物に掲載されている特集頁は最新の情報をタイムリーにまとめたものが多く、ユーザーにとって貴重な情報源となっている。さらに、ユーザーにとっては、誌面のデザインやレイアウトなど含めた頁自身がイメージ情報として認識しており、例えば、ファッション、髪型および車などに関する出版物においては、ユーザーが貴重な情報頁を切り取りファイリングすることも行っている。ユーザーはどうしても必要な情報が掲載されている頁を入手したい場合、複数の書店を探し求めるか、あるいは直接出版社に問い合わせして取り寄せるなどしか方法がなかった。
【０００５】
反対に、出版社にとっては費用をかけて制作した定期刊行物の特集頁を友人や知人からコピーして入手する、あるいはまた立ち読みで済ます、更にはカメラ付携帯電話による誌面の盗撮するユーザーに悩まされていた。
【０００６】
近年、雑誌等の情報をユーザーに提供するシステムが提案されている。例えば、特開２００１−２１６３６６号公報（特許文献１）には、書籍データの複製データを配信する方法が開示されている。特開２００２−１１６９８１号公報（特許文献２）には、企業が配布したい文書データを店舗端末より出力する文書プリントサービスシステムが開示されている。特開２００２−１１７０６８号公報（特許文献３）には、出版される各種雑誌の見開き頁と同一または近似したレイアウトに構成されているデジタルデータを提供するシステムが開示されている。しかしながら、これらの特許公報には、既存の出版物に関するものであって最新号の出版物の頁データを出版物の発行と同じタイミングで効率よく提供できない、書店などで販売される実際の出版物の頁と同一誌面の頁データを提供できない、または同一の頁データを提供できるものであっても、既存の出版物の頁をスキャナーで読み込みデジタル化処理をしており、画質は満足のいくレベルではないなどの課題を有していた。
【特許文献１】特開２００１−２１６３６６号公報
【特許文献２】特開２００２−１１６９８１号公報
【特許文献３】特開２００２−１１７０６８号公報
【発明の開示】
【発明が解決しようとする課題】
【０００７】
従って、本発明の目的は、ユーザーにとって重要な情報源である定期刊行物の頁データを効率よく提供することができるシステムであり、印刷工程に至るまでの頁データの制作効率化、最新の出版物発行日と連携した頁データの提供、さらには特集頁などの特定の頁を出版物と同一デザインおよびレイアウトにて提供することができるシステムに関する。
【課題を解決するための手段】
【０００８】
本発明の上記目的は、通信ネットワークで接続された端末を用いて出版物のデータを配信するシステムにおいて、出版部門、出版物頁データの制作部門および印刷部門とから構成される第１通信ネットワークと、出版部門が販売したい出版物の頁データを保管する管理サーバー、ユーザーの携帯型端末および店舗内に設置される店舗端末から構成される第２通信ネットワークからなるシステムであって、出版物の全頁データが保管されているファイルサーバーが第１通信ネットワークに接続されており、且つ出版部門が販売したい出版物の頁データがある時、第１通信ネットワークと第２通信ネットワークを接続し、出版物の頁データの一部頁あるいは全頁をファイルサーバーから管理サーバーに転送することを特徴とする出版物の頁データを配信するシステムによって、基本的に達成された。
【発明の効果】
【０００９】
本発明の出版物の頁データの配信システムによれば、頁データの制作段階においては、校編集、校正および確認作業に必要な費用や時間が削減でき、また印刷出力段階においては、出版物と同一のデザイン、レイアウトでスキャナーなどによる取り込み画像等の２次的複製物ではない高画質な頁データの出力物を提供することができ、さらに出版物と同じタイミングで提供することができる。
【発明を実施するための最良の形態】
【００１０】
本発明において、出版部門、出版物頁データの制作部門および印刷部門は、それぞれ独立した会社組織であってもよく、または一つの会社組織の中に前記した部門の複数を所有していてもよい。例えば、出版社が出版部門と出版物頁データの制作部門を所有する場合、印刷会社が出版物頁データの制作部門と印刷部門を所有する場合等がある。
【００１１】
本発明において、出版部門とは、出版物の企画を実施する部門（会社）であり、出版物の著作権を管理する部門（会社）である。出版物頁データの制作部門とは、頁データを制作する部門（会社）であって、頁のデザイン、配色、構成などを作製し、最終印刷物の印刷に必要なレイアウトデータおよび色データを制作する部門（会社）である。印刷部門は、完成した頁データからＤＴＰ印刷工程を経て出版物の印刷および製本を実施する部門（会社）である。
【００１２】
これ以降の説明においては、出版部門、出版物頁データの制作部門および印刷部門は、それぞれ独立した会社組織であることを前提に説明する。従って、出版部門は出版社、出版物頁データの制作部門は単に制作会社、印刷部門は印刷会社と称して説明する。
【００１３】
本発明のファイルサーバーは、制作された１冊まるごとの出版物の全頁データを保管する。好ましくは、全頁データに加えて頁制作を担当している制作会社などが編集レイアウトソフト、例えばQuarkXpress（Quark社）、InDesign（Adobe社）またはPageMaker（Adobe社）などよって制作された頁レイアウト情報、印刷の色を合わせるのに必要なカラープロファイル情報およびテキスト、イラスト、写真などの各素材データなど印刷に必要なデータをも保管している。
【００１４】
全頁データを、例えばＰＤＦ形式などで格納しておくことで印刷フィルム出力あるいは印刷刷版を作製しＤＴＰ印刷は可能である。しかしながら、この様な形式では頁データ制作に用いたテキスト、写真、イラストなど個々の素材を修正することが困難であり、さらにはカラープロファイル情報、フォント情報などがなければ正確に印刷することができない。本発明のファイルサーバーは、素材データ、レイアウト情報、カラープロファイル情報およびフォント情報などを格納することによって、ファイルサーバー内の個々のデータを直接に修正、校正、変更することができ、より確実に画質や色などの品質の高い印刷物を制作することができる。
【００１５】
出版社は出版物の企画に従い、誌面制作に必要なテキスト、写真やイラスト等の素材データを、例えばインターネット、広域ＬＡＮ回線や光ケーブルなどの通信網である第１通信ネットワークを介してファイルサーバーに格納する。制作会社は第１通信ネットワークを介してファイルサーバーにある素材データをもとに、レイアウト、配色、デザインおよびテキスト編集などを実施し、頁データを制作する。同時にレイアウト、カラープロファイル、フォントなどの情報を格納する。
【００１６】
本発明による出版社と制作会社間で行われる校正、編集、修正作業は、ファイルサーバーに格納しているデータに第１通信ネットワークを介してアクセスし、直接に個々のデータを選択し修正する、あるいは格納しているデータを修正済みのデータと差し替えることによって達成される。
【００１７】
出版社および制作会社は、ファイルサーバーにある印刷に必要な全ての頁データを使うことによって、頁デザイン、フォントおよび配色などの変更および修正を実施でき、出版社および制作会社はファイルサーバーの頁データを用いることによって、最新のデータを同じタイミングで同時に閲覧することができ、校正作業の簡素化や迅速化を図ることができる。
【００１８】
印刷会社は、ファイルサーバーに格納された頁データを用いることによって、該当する出版物を印刷することができる。全頁データにレイアウト情報、フォントやカラープロファイル情報など印刷に必要なデータを使い、印刷会社は印刷フィルムへの出力や印刷刷版への出力を正確に実施することができ、出版社が要望する印刷品質を容易に達成できる。
【００１９】
本発明の第１通信ネットワークを介して、ファイルサーバーに接続している印刷会社は複数社でもよく、接続しているすべての印刷会社がファイルサーバーにある頁データを用い、印刷をすることができる。例えば、出版社は販売する地域の印刷会社に印刷を発注することにより、遠方への出版物の運送費用を削減できる。
【００２０】
本発明の出版社は、ファイルサーバーにある頁データの一部あるいは全部を管理サーバーに送信することによって、雑誌などの特集頁など特定の頁あるいは管理サーバーに保管している過去の特集頁などを適宜販売することができる。頁データは印刷会社が印刷に用いるものと同一であり、ファイリングするユーザーにとっては、レイアウト、色および画質に関して十分満足のいく品質である。
【００２１】
本発明の管理サーバーは、例えばインターネットやｉ−モード（商標）通信など第２通信ネットワークに接続しているが、出版社が販売したい頁データがあるとき、管理サーバーは第１通信ネットワークに接続し、ファイルサーバーから該当する頁データを受け取る。
【００２２】
本発明の管理サーバーは内部にデーターベースサーバーを有しており、受け取った頁データに登録番号などのデータＩＤを付けデータ管理するとともに、データーベースサーバーに頁データを保管する。
【００２３】
さらに管理サーバーは、ユーザーが所有する携帯電話、ＰＤＡあるいはノート型パソコンなどの携帯型端末および各店舗に設置されたキヨスク端末などの店舗端末とそれぞれインターネットやｉ−モード（商標）通信などの第２通信ネットワークを介して随時接続される。管理サーバーは頁データを管理するとともに、それらの頁データに関する案内情報を携帯型端末に配信し、ネットワーク上で閲覧できる状態にしてユーザーに公開する。
【００２４】
ユーザーは、携帯型端末あるいは店舗端末を使い欲しい頁データのデータＩＤを入手する。ユーザーはデータＩＤを入手する際に、年齢、性別、生活地域、既婚あるいは未婚、購読雑誌名などをユーザー情報を入力する。ユーザーは店舗端末にてデータＩＤを入力することによって、所定の頁データを管理サーバーから抽出し、店舗端末に接続しているプリンタ、例えばインクジェットプリンタ、カラーレザープリンタ、カラー昇華熱転プリンタなどでプリントアウトする。画質や色再現から、好ましくはインクジェットプリンタである。
【００２５】
ユーザー情報は管理サーバーで収集され整理される。さらに管理サーバーに接続しているデーターベースサーバーにユーザー統計データとして格納される。出版社は、この統計データを使い、次回出版企画に役立たせることができる。
【００２６】
本発明の実施形態を実施例によってさらに詳しく説明する。
【実施例１】
【００２７】
図１は、本発明の配信システムの概念図である。本発明の出版物の頁データの配信システムは、広域ＬＡＮである第１通信ネットワーク６ａおよびインターネットである第２通信ネットワーク６ｂの２つのネットワークから構成される。出版社５は第１通信ネットワーク６ａを介して、出版物のテキストや画像などの素材データをファイルサーバー１に格納する。制作会社８は第１通信ネットワーク６ａを介してファイルサーバー１に接続しており、ファイルサーバー１にある素材データから頁データを制作するとともに、ファイルサーバー１に制作した頁データを格納する。
【００２８】
出版社５と制作会社８は、ファイルサーバー１に格納している頁データを使い、頁の校正、修正あるいは更新などを実施する。最終的に完成した頁データはファイルサーバー１内に保管される。該頁データはレイアウトや色に関する情報を含んでいる。
【００２９】
印刷会社７は１社あるいは複数社でもよく、ファイルサーバー１にある頁データを第１通信ネットワーク６ａを介して入手し、ＤＴＰ工程を経て出版物の印刷を行う。
【００３０】
出版社５は、印刷会社７に印刷発注をかけるとともに、第２通信ネットワーク６ｂ上にある管理サーバー２ａを第１通信ネットワーク６ａに接続させ、出版社が販売したい頁データをファイルサーバー１から管理サーバー２ａに送信する。
【００３１】
管理サーバー２ａは、受け取った頁データにデータＩＤ番号を付けてデータベースサーバー２ｂに保管する。さらに管理サーバー２ａは、受け取った頁データに関する案内を第２通信ネットワーク６ｂを介してユーザーが有する携帯電話やモバイル型ノートパソコンなどの携帯型端末３および店舗４に設置している店舗端末４ａに対し保有している頁データの一覧表を公開する。頁データの一覧表には、「雑誌名」「特集のタイトル」「発行日」「頁数」「公開日」「プリント料金」などを表示している。
【００３２】
ユーザーは、公開されているデータ一覧を見ることによって欲しい頁データがないか検索する。あるいは、会員登録などすることによって、特定のユーザーに対しては新しい頁データがある場合に、E-メールなどを配信することによってデータ公開を案内してもよい。
【００３３】
欲しい頁データが見つかったとき、ユーザーは携帯型端末３あるいは店舗４に設置している店舗端末４ａから「年齢」、「性別」、「生活地域」、「既婚・未婚」および「購読雑誌名」などユーザーの個人情報を入力し、管理サーバー２ａに送信することによって、所定の頁データのデータＩＤ番号を入手する。管理サーバー２ａで受信した個人情報は、データーベースサーバー２ｂで統計的に整理保管される。出版社５は、管理サーバー２ａが第１通信ネットワーク６ａに接続したとき、データベースサーバー２ｂにある個人情報を回収する。
【００３４】
ユーザーは、店舗端末４ａの画面にデータＩＤ番号を入力することによって、管理サーバー２ａから所定の頁データを呼び出す。この時、画面に表示される頁データの出力料を店舗端末４ａに入金することによって、店舗端末４ａに接続しているインクジェットプリンタ４ｂから頁データが印刷される。印刷される頁データは、出版されている雑誌の該当頁と同一デザインである。
【００３５】
次に、本発明の頁データの配信システムのワークフローを、図２を用いて更に詳しく説明する。
【００３６】
出版社、ファイルサーバー、制作会社および印刷会社が第１通信ネットワークで接続されている。一方、管理サーバー、ユーザーの携帯型端末および店舗内の店舗端末が第２通信ネットワークで接続されている。
【００３７】
出版社が出版物の特集頁などの誌面の企画ができた段階で、ファイルサーバーにテキスト、写真やイラストなど紙面の構成に必要な素材データを転送し、保存する。誌面の制作を受注した制作会社は、ファイルサーバーに保存している素材データを使い、出版物の頁データを制作する。さらに制作会社は、レイアウト情報、フォント情報やカラープロファイル情報などの印刷に必要なデータを含め、頁データをファイルサーバーへ転送し格納する。出版社と制作会社は、ファイルサーバーにある共通の頁データを双方で確認し、レイアウト、デザイン、配色など誌面の品質向上および修正、校正などを実施する。
【００３８】
最終校正が確認された頁データは、完成した頁データとしてファイルサーバー内に格納される。完成した頁データは、出版社の意志により第１通信ネットワークに接続している印刷会社に印刷発注するとともに、必要に応じて管理サーバーにアップロードする。
【００３９】
管理サーバーは直結しているデータベースサーバーへ頁データに登録ＩＤ番号を付けて保管すると同時に、ユーザーが保有する携帯型端末および店舗に設置されている店舗端末に頁データの案内情報を配信あるいは公開する。
【００４０】
ユーザーは携帯型端末あるいは店舗端末によって個人情報の入力と引換に、頁データの登録ＩＤ番号を入手する。ユーザーは、店舗端末で頁データの登録ＩＤ番号を入力し、店舗端末に接続しているプリンタにてプリントアウトする。
【００４１】
頁データの登録ＩＤを入手する際に、入力したユーザーの個人情報は管理サーバーに送られ、直結しているデータベースサーバーにユーザー情報として保管される。この情報は、出版社の次の企画に使用される。
【図面の簡単な説明】
【００４２】
【図１】本発明における出版物の頁データの配信システムの概念図。
【図２】本発明における出版物の頁データの配信システムのワークフロー図。
【符号の説明】
【００４３】
１  ファイルサーバー
２ａ  管理サーバー
２ｂ  データベースサーバー
３  携帯型端末
４  端末設置店舗
４ａ  店舗端末
４ｂ  プリンタ
５  出版社
６ａ  第１通信ネットワーク
６ｂ  第２通信ネットワーク
７  印刷会社
８  制作会社
【図１】
2005157519.tif 000003
【図２】
2005157519.tif 000004